(57)【要約】【課題】ガス化炉が部分負荷運転している場合であっても、サイクロン分離器による飛散粒子の捕集効率の低下を防止する。【解決手段】ガス化ガス生成システム１００は、流動媒体を流動層化するとともに、投入されたガス化原料を流動媒体が有する熱でガス化させてガス化ガスを生成するガス化炉１４０と、気体であるガス化ガスと固体であるガス化原料とが混合された混合物が導入口２１２を通じて導入され、混合物を旋回させることにより、導入口２１２における混合物の流速に基づいて定まる粒径以上の固体と、流速に基づいて定まる粒径未満の固体である飛散粒子およびガス化ガスとに分離し、分離された飛散粒子およびガス化ガスを送出するサイクロン分離器２００と、導入口２１２を通じて、サイクロン分離器２００内に調整ガスを供給するガス供給部２５０と、を備える。【選択図】図１
2015017220.tif 000002
【特許請求の範囲】
【請求項１】
流動媒体を流動層化するとともに、投入されたガス化原料を該流動媒体が有する熱でガス化させてガス化ガスを生成するガス化炉と、
気体である前記ガス化ガスと固体である前記ガス化原料とが混合された混合物が導入口を通じて導入され、該混合物を旋回させることにより、該導入口における該混合物の流速に基づいて定まる粒径以上の固体と、該流速に基づいて定まる粒径未満の固体である飛散粒子および該ガス化ガスとに分離し、分離された該飛散粒子および該ガス化ガスを送出するサイクロン分離器と、
前記導入口を通じて前記サイクロン分離器内に、前記ガス化炉から送出される前記ガス化ガスとは異なる調整ガスを供給するガス供給部と、
を備えたことを特徴とするガス化ガス生成システム。
【請求項２】
前記ガス化炉への前記ガス化原料の投入量と、該ガス化炉で生成された前記ガス化ガスの組成とに基づいて、該ガス化ガスの流量を推定し、該推定した流量に基づいて前記導入口における前記混合物の流速を導出し、該導出した流速が予め定められた閾値未満である場合に、前記ガス供給部を制御して、前記サイクロン分離器内に前記調整ガスを供給させる制御部をさらに備えたことを特徴とする請求項１に記載のガス化ガス生成システム。
【請求項３】
前記ガス化炉で生成された前記ガス化ガスの流量を測定する流量測定部と、
測定された前記流量に基づいて前記導入口における前記混合物の流速を導出し、該導出した流速が予め定められた閾値未満である場合に、前記ガス供給部を制御して、前記サイクロン分離器内に前記調整ガスを供給させる制御部と、
をさらに備えたことを特徴とする請求項１に記載のガス化ガス生成システム。
【請求項４】
前記サイクロン分離器から送出された飛散粒子の濃度を検出する濃度検出部と、
検出された前記濃度が予め定められた閾値以上である場合に、前記ガス供給部を制御して、前記サイクロン分離器内に前記調整ガスを供給させる制御部と、
を備えたことを特徴とする請求項１に記載のガス化ガス生成システム。
【請求項５】
前記ガス供給部が前記サイクロン分離器内に供給する前記調整ガスは、前記流動媒体を流動層化させるために前記ガス化炉に投入されるガス、前記ガス化ガス、二酸化炭素、および、不活性ガスの群から選択される１または複数であることを特徴とする請求項１から４のいずれか１項に記載のガス化ガス生成システム。
【請求項６】
流動媒体を流動層化するガス化炉において、投入されたガス化原料が、該流動媒体が有する熱によってガス化されることで生成されたガス化ガスと、固体である該ガス化原料とが混合された混合物が導入口を通じて導入され、該混合物を旋回させることにより、該導入口における該混合物の流速に基づいて定まる粒径以上の固体と、該流速に基づいて定まる粒径未満の固体である飛散粒子および該ガス化ガスとに分離し、分離された該飛散粒子および該ガス化ガスを送出するサイクロン分離器の運転方法であって、
前記ガス化炉への前記ガス化原料の投入量と、該ガス化炉で生成された前記ガス化ガスの組成とに基づいて、該ガス化ガスの流量を推定し、
前記推定した流量に基づいて前記導入口における前記混合物の流速を導出し、
前記導出した流速が予め定められた閾値未満である場合に、前記導入口を通じて前記サイクロン分離器内に、前記ガス化炉から送出される前記ガス化ガスとは異なる調整ガスを供給することを特徴とするサイクロン分離器の運転方法。
【発明の詳細な説明】
【技術分野】
【０００１】
本発明は、ガス化原料からガス化ガスを生成し、サイクロン分離器によってガス化ガスから飛散粒子を分離するガス化ガス生成システム、および、サイクロン分離器の運転方法に関する。
【背景技術】
【０００２】
近年、石油に代えて、石炭やバイオマス、タイヤチップ等のガス化原料をガス化してガス化ガスを生成する技術が開発されている。このようなガス化ガスを生成するシステム（ガス化ガス生成システム）として、流動媒体が流動層を形成しているガス化炉内で、水蒸気を利用して、７００℃〜９００℃程度でガス化原料をガス化する技術（水蒸気ガス化）が開発されている。
【０００３】
また、ガス化ガス生成システムには、ガス化炉で生成されたガス化ガスから飛散粒子を分離するサイクロン分離器が設けられており（例えば、特許文献１）、当該サイクロン分離器によって飛散粒子が除去されたガス化ガスは、後段のガス化ガス精製装置によって精製されることとなる。
【先行技術文献】
【特許文献】
【０００４】
【特許文献１】特許第５２００６９１号公報
【発明の概要】
【発明が解決しようとする課題】
【０００５】
しかし、サイクロン分離器の捕集効率は、常に一定とはならない。具体的に説明すると、サイクロン分離器は、導入口を通じて導入された、固体と気体の混合物を旋回させることにより、遠心力を発生させ、当該遠心力によって、導入口における混合物の流速に基づいて定まる粒径以上の固体を分離する装置である。サイクロン分離器における、混合物に含まれる固体を分離できる効率（分離効率）は、導入される混合物の流速に依存する。すなわち、導入される混合物の流速が高い程、サイクロン分離器による固体（飛散粒子）の分離効率（捕集効率）は高いということになる。
【０００６】
サイクロン分離器の設計は、ガス化炉が全負荷運転（定格運転、通常運転）している際のガス化ガスの流量（流速）に基づいて行われる。したがって、ガス化炉が部分負荷運転する際（起動処理する際や、停止処理する際を含む）には、生成されるガス化ガスが少なくなり（ガス化ガスの流量が少なくなり）、それに伴い、サイクロン分離器へ導入されるガス化ガスの流速が低くなり、全負荷運転時と比較して、サイクロン分離器による飛散粒子の捕集効率が低下してしまうおそれがあった。
【０００７】
そこで本発明は、このような課題に鑑み、ガス化炉が部分負荷運転している場合であっても、サイクロン分離器による飛散粒子の捕集効率の低下を防止することが可能なガス化ガス生成システム、および、サイクロン分離器の運転方法を提供することを目的としている。
【課題を解決するための手段】
【０００８】
上記課題を解決するために、本発明のガス化ガス生成システムは、流動媒体を流動層化するとともに、投入されたガス化原料を流動媒体が有する熱でガス化させてガス化ガスを生成するガス化炉と、気体であるガス化ガスと固体であるガス化原料とが混合された混合物が導入口を通じて導入され、混合物を旋回させることにより、導入口における混合物の流速に基づいて定まる粒径以上の固体と、流速に基づいて定まる粒径未満の固体である飛散粒子およびガス化ガスとに分離し、分離された飛散粒子およびガス化ガスを送出するサイクロン分離器と、導入口を通じてサイクロン分離器内に、ガス化炉から送出されるガス化ガスとは異なる調整ガスを供給するガス供給部と、を備えたことを特徴とする。
【０００９】
また、ガス化炉へのガス化原料の投入量と、ガス化炉で生成されたガス化ガスの組成とに基づいて、ガス化ガスの流量を推定し、推定した流量に基づいて導入口における混合物の流速を導出し、導出した流速が予め定められた閾値未満である場合に、ガス供給部を制御して、サイクロン分離器内に調整ガスを供給させる制御部をさらに備えるとしてもよい。
【００１０】
また、ガス化炉で生成されたガス化ガスの流量を測定する流量測定部と、測定された流量に基づいて導入口における混合物の流速を導出し、導出した流速が予め定められた閾値未満である場合に、ガス供給部を制御して、サイクロン分離器内に調整ガスを供給させる制御部と、をさらに備えるとしてもよい。
【００１１】
また、サイクロン分離器から送出された飛散粒子の濃度を検出する濃度検出部と、検出された濃度が予め定められた閾値以上である場合に、ガス供給部を制御して、サイクロン分離器内に調整ガスを供給させる制御部と、を備えるとしてもよい。
【００１２】
また、ガス供給部がサイクロン分離器内に供給する調整ガスは、流動媒体を流動層化させるためにガス化炉に投入されるガス、ガス化ガス、二酸化炭素、および、不活性ガスの群から選択される１または複数であるとしてもよい。
【００１３】
上記課題を解決するために、本発明のサイクロン分離器の運転方法は、流動媒体を流動層化するガス化炉において、投入されたガス化原料が、流動媒体が有する熱によってガス化されることで生成されたガス化ガスと、固体であるガス化原料とが混合された混合物が導入口を通じて導入され、混合物を旋回させることにより、導入口における混合物の流速に基づいて定まる粒径以上の固体と、流速に基づいて定まる粒径未満の固体である飛散粒子およびガス化ガスとに分離し、分離された飛散粒子およびガス化ガスを送出するサイクロン分離器の運転方法であって、ガス化炉へのガス化原料の投入量と、ガス化炉で生成されたガス化ガスの組成とに基づいて、ガス化ガスの流量を推定し、推定した流量に基づいて導入口における混合物の流速を導出し、導出した流速が予め定められた閾値未満である場合に、導入口を通じてサイクロン分離器内に、ガス化炉から送出されるガス化ガスとは異なる調整ガスを供給することを特徴とする。
【発明の効果】
【００１４】
本発明によれば、ガス化炉が部分負荷運転している場合であっても、サイクロン分離器による飛散粒子の捕集効率の低下を防止することが可能となる。
【図面の簡単な説明】
【００１５】
【図１】第１の実施形態にかかるガス化ガス生成システムを説明するための図である。
【図２】サイクロン分離器へ導入されるガスの流量（相対値）と、捕集効率（％）と、飛散粒子量（相対値）とを説明するための図である。
【図３】サイクロン分離器の運転方法の処理の流れを説明するためのフローチャートである。
【図４】第２の実施形態にかかるガス化ガス生成システムを説明するための図である。
【図５】第３の実施形態にかかるガス化ガス生成システムを説明するための図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（第１の実施形態：ガス化ガス生成システム１００）
図１は、第１の実施形態にかかるガス化ガス生成システム１００を説明するための図である。図１中、気体、固体といった物質の流れを実線の矢印で示し、信号の流れを破線の矢印で示す。
【００１８】
図１に示すように、ガス化ガス生成システム１００では、全体として、粒径が３００μｍ程度の硅砂（珪砂）等の砂で構成される流動媒体を熱媒体として循環させている。具体的には、まず、流動媒体は、燃焼炉１１０で１０００℃程度に加熱され、燃焼排ガスとともに媒体分離器１２０（サイクロン分離器）に導入される。媒体分離器１２０においては、高温の流動媒体と燃焼排ガスとが分離され、当該分離された高温の流動媒体が、入口ループシール１３０を通じてガス化炉１４０に導入される。そして、ガス化炉１４０に導入された流動媒体は、ガス化炉１４０の底面に設けられた風箱１４２から導入されるガス化剤（水蒸気、窒素、不活性ガス等）によって流動層化された後、出口ループシール１５０を通じて燃焼炉１１０に戻される。
【００１９】
また、媒体分離器１２０によって分離された燃焼排ガスは、熱交換器１２２（例えば、ボイラ）で熱回収され、灰集塵機１２４によって飛散粒子が取り除かれた後、大気に放出される。
【００２０】
一方、ガス化炉１４０には、石炭やバイオマス、タイヤチップ等のガス化原料（固体）が投入され、ガス化炉１４０は、流動媒体が有する熱でガス化原料をガス化させガス化ガスを生成する。ガス化炉１４０は、例えば、気泡流動層（バブリング流動層）ガス化炉であり、ガス化原料は、例えば、褐炭等の低品位燃料である。また、本実施形態では、ガス化炉１４０に水蒸気を供給することにより、ガス化原料を７００℃〜９００℃でガス化させてガス化ガスを生成する（水蒸気ガス化）。
【００２１】
そして、ガス化炉１４０で生成されたガス化ガスは、サイクロン分離器２００において、飛散粒子（ガス化原料、流動媒体）が取り除かれ、ガス化ガス精製装置３００でタール、スラッジ等の不純物が除去されて精製される。
【００２２】
上述したように、ガス化炉１４０で生成されたガス化ガスは、サイクロン分離器２００によって飛散粒子（固体）が取り除かれるが、ガス化炉１４０の運転状況によっては、飛散粒子の除去が十分に遂行されない、つまり、飛散粒子の捕集効率が低下する場合がある。
【００２３】
具体的に説明すると、サイクロン分離器２００の設計は、ガス化炉１４０が全負荷運転（定格運転、通常運転）している際のガス化ガスの流量（流速）に基づいて行われる。したがって、ガス化炉１４０が部分負荷運転する際（起動処理する際や、停止処理する際を含む）には、生成されるガス化ガスの量が少なくなるため、ガス化ガスの流量が少なくなり、サイクロン分離器２００へ導入されるガス化ガスの流速が低くなり、全負荷運転時と比較して、サイクロン分離器２００による飛散粒子の捕集効率が低下してしまうおそれがあった。
【００２４】
図２は、サイクロン分離器２００へ導入されるガスの流量（相対値）と、捕集効率（％）と、飛散粒子量（相対値）とを説明するための図である。図２中、捕集効率を実線で示し、飛散粒子量を破線で示す。図２に示すように、定格運転時から部分負荷運転時のサイクロン分離器２００に導入されるガスの流量の減少に伴い、捕集効率は緩やかに減少するが、飛散粒子量は著しく増加することが分かる。
【００２５】
飛散粒子は、ガス化ガス精製装置３００を構成する改質炉において溶融スラグとなり廃棄される。このため、ガス化ガス精製装置３００へ送出される飛散粒子が想定以上に増加すると、すなわち、飛散粒子としてのガス化原料が想定以上に増加すると、改質炉において廃棄されるガス化原料の量が増加し、ガス化炉１４０に投入されたガス化原料に対するガス化ガスの生成量（ガス化効率）が低下してしまう。
【００２６】
そこで、本実施形態のガス化ガス生成システム１００は、ガス化炉１４０の運転状況に拘わらず、飛散粒子を十分に回収することが可能な機構を備える。以下、ガス化炉１４０の運転状況に拘わらず、飛散粒子を十分に回収することが可能な機構を、サイクロン分離器２００の構成と併せて説明する。
【００２７】
（飛散粒子を十分に回収することが可能な機構、および、サイクロン分離器２００）
図１に戻って説明すると、サイクロン分離器２００は、本体２１０と、導入口２１２と、落下口２１４と、排気口２１６とを含んで構成される。本体２１０には、導入管１４４、導入口２１２を通じて、ガス化炉１４０で生成されたガス化ガス（気体）とともに、未ガス化のガス化原料（固体）および流動媒体（固体）が導入される。
【００２８】
サイクロン分離器２００は、導入口２１２を通じて導入された混合物（ガス化ガス（気体）、ガス化原料（固体）、流動媒体（固体））を旋回させることにより、導入口２１２における混合物の流速に基づいて定まる粒径以上の固体と、流速に基づいて定まる粒径未満の固体である飛散粒子およびガス化ガスとに分離する。そして、分離された固体は、落下口２１４を通じてガス化炉１４０に落下して返送され、飛散粒子およびガス化ガスは、排気口２１６を通じてガス化ガス精製装置３００に送出される。
【００２９】
上述したように、導入管１４４を通じてサイクロン分離器２００に導入されるガス化ガスには飛散粒子が含まれ、当該飛散粒子の大部分はガス化原料である。したがって、サイクロン分離器２００を設計する際には、まず、大部分の飛散粒子が落下口２１４へ分離され、ガス化炉１４０に再度返送されるように、分離効率（捕集効率）を設定する。そして、全負荷運転（定格運転、通常運転）時における、導入される混合物の流量、すなわち、全負荷運転時にガス化炉１４０において生成されるガス化ガスの量で、設計した分離効率を満たすように、サイクロン分離器２００に導入される混合物の流速が決定され、かかる混合物の流速となるようにサイクロン分離器２００の形状（例えば、導入口２１２の口径）が設計されることとなる。
【００３０】
したがって、ガス化炉１４０が部分負荷運転する際（起動処理する際や、停止処理する際を含む）には、ガス化ガスの生成量が少なくなるため、サイクロン分離器２００へ導入されるガス化ガスの流速が低くなり、全負荷運転時と比較して、サイクロン分離器２００による飛散粒子の捕集効率が低下してしまう。
【００３１】
そこで、ガス化ガス生成システム１００では、導入口２１２を通じて、サイクロン分離器２００内に調整ガスを供給するガス供給部２５０を備える。ここで、調整ガスは、ガス化炉１４０から送出され導入管１４４を通ってサイクロン分離器２００に導入されるガス化ガスとは異なるガスである。ガス供給部２５０は、導入管１４４と調整ガス供給源Ｇとを接続する接続管２５２と、接続管２５２に設けられた流量調整弁２５４とを含んで構成される。
【００３２】
このように、ガス供給部２５０が導入口２１２を通じて、サイクロン分離器２００内に調整ガスを供給する構成により、導入口２１２を通じてサイクロン分離器２００内に導入されるガスの総量を、調整ガスの量とガス化ガスの量を加算した量とすることができ、導入口２１２におけるガスの流速を上げることが可能となる。
【００３３】
したがって、部分負荷運転時であっても、サイクロン分離器２００の導入口２１２における混合物の流速を、全負荷運転時における流速まで上げることができ、サイクロン分離器２００の分離効率を維持することが可能となる。これにより、ガス化炉１４０が部分負荷運転時であっても、ガス化ガス精製装置３００へ送出される飛散粒子の量を、全負荷運転時程度まで低減することができる。したがって、ガス化炉１４０においてガス化されるガス化原料の低減を抑制することができ、ガス化効率の低下を抑制することが可能となる。
【００３４】
また、ガス化ガス精製装置３００へ送出される飛散粒子の量を、全負荷運転時程度まで低減することができるため、ガス化ガス精製装置３００による飛散粒子の処理負荷を低減することができる。
【００３５】
ここで、ガス供給部２５０がサイクロン分離器２００に供給する調整ガスは、流動媒体を流動層化させるためにガス化炉１４０に投入されるガス（ここでは、水蒸気）、ガス化ガス、二酸化炭素、および、不活性ガスの群から選択される１または複数である。かかる構成により、ガス化ガス精製装置３００に送出されるガス化ガスの性質が変化してしまう事態を回避することができる。
【００３６】
また、本実施形態にかかるガス化ガス生成システム１００は、流量調整弁２５４を制御する制御部２７０を備える。制御部２７０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働してガス化ガス生成システム１００全体を管理および制御する。
【００３７】
本実施形態において、制御部２７０は、ガス化炉１４０へのガス化原料の投入量と、ガス化炉１４０で生成されたガス化ガスの組成とに基づいて、ガス化ガスの流量を推定し、推定した流量に基づいて導入口２１２における混合物の流速を導出し、導出した流速が予め定められた閾値Ｓ未満である場合に、流量調整弁２５４の開度を制御して、サイクロン分離器２００内に調整ガスを供給させる。
【００３８】
制御部２７０を備える構成により、サイクロン分離器２００に導入されるガス化ガスの流速をリアルタイムで推測することができ、遅延なくサイクロン分離器２００の分離効率を維持することが可能となる。
【００３９】
（サイクロン分離器２００の運転方法）
続いて、ガス化ガス生成システム１００におけるサイクロン分離器２００の運転方法について説明する。図３は、サイクロン分離器２００の運転方法の処理の流れを説明するためのフローチャートである。当該処理は、予め定められた時間（例えば、１分）毎に遂行される。
【００４０】
図３に示すように、まず、制御部２７０は、ガス化炉１４０へのガス化原料の投入量と、ガス化炉１４０で生成されたガス化ガスの組成とに基づいて、ガス化ガスの流量を推定する（Ｓ４１０）。そして、推定した流量に基づいて導入口２１２における混合物の流速（ガス化ガスの流速）を導出する（Ｓ４１２）。
【００４１】
続いて、制御部２７０は、導出した流速が予め定められた閾値Ｓ未満であるか否かを判定し（Ｓ４１４）、閾値Ｓ未満である場合（Ｓ４１４におけるＹＥＳ）、流量調整弁２５４が閉状態であるか否かを判定する（Ｓ４１６）。そして、流量調整弁２５４が閉状態である場合（Ｓ４１６におけるＹＥＳ）、制御部２７０は、流量調整弁２５４を開いて（Ｓ４１８）、流量調整弁２５４の開度を調整して、導入口２１２を通じた、サイクロン分離器２００内への調整ガスの供給を遂行させ（Ｓ４２０）、流量推定ステップＳ４１０に処理を戻す。また、流量調整弁２５４が開状態である場合（Ｓ４１６におけるＮＯ）、制御部２７０は、流量調整弁２５４の開度を調整して、導入口２１２を通じた、サイクロン分離器２００内への調整ガスの供給を遂行させ、流量推定ステップＳ４１０に処理を戻す。
（Ｓ４２０）。
【００４２】
一方、導出した流速が閾値Ｓ未満でない、すなわち、閾値Ｓ以上である場合（Ｓ４１４におけるＮＯ）、制御部２７０は、流量調整弁２５４が開状態であるか否かを判定する（Ｓ４３０）。そして、制御部２７０は、流量調整弁２５４が開状態である場合（Ｓ４３０におけるＹＥＳ）、流量調整弁２５４を閉じて（Ｓ４３２）、流量推定ステップＳ４１０に処理を戻す。流量調整弁２５４が開状態でない、すなわち、閉じられている場合（Ｓ４３０におけるＮＯ）、制御部２７０は、流量推定ステップＳ４１０に処理を戻す。
【００４３】
以上説明したように、本実施形態にかかるガス化ガス生成システム１００およびサイクロン分離器２００の運転方法によれば、ガス化炉１４０が部分負荷運転している場合であっても、サイクロン分離器２００による飛散粒子の捕集効率の低下を防止することが可能となる。
【００４４】
（第２の実施形態：ガス化ガス生成システム５００）
上述した第１の実施形態において、制御部２７０は、ガス化炉１４０へのガス化原料の投入量と、ガス化炉１４０で生成されたガス化ガスの組成とに基づいて、ガス化ガスの流量を推定している。本実施形態では、ガス化ガスの流量を測定する機構を備えたガス化ガス生成システム５００について説明する。
【００４５】
図４は、第２の実施形態にかかるガス化ガス生成システム５００を説明するための図である。図４中、気体、固体といった物質の流れを実線の矢印で示し、信号の流れを破線の矢印で示す。
【００４６】
図４に示すように、ガス化ガス生成システム５００は、燃焼炉１１０と、媒体分離器１２０と、熱交換器１２２と、灰集塵機１２４と、入口ループシール１３０と、ガス化炉１４０と、風箱１４２と、導入管１４４と、出口ループシール１５０と、サイクロン分離器２００と、ガス供給部２５０と、ガス化ガス精製装置３００と、流量測定部５１０と、制御部５７０とを含んで構成される。なお、上述した第１の実施形態におけるガス化ガス生成システム１００と実質的に等しい構成要素については、同一の符号を付して重複説明を省略し、ここでは、構成の異なる流量測定部５１０と、制御部５７０について詳述する。
【００４７】
流量測定部５１０は、ガス化ガス精製装置３００を流通するガス化ガスの流量を測定する。流量測定部５１０は、ガス化ガス精製装置３００を構成するいずれの機器、または、いずれの機器間のガス化ガスの流量を測定してもよいが、昇圧器の出口の流量を測定するとよい。昇圧器の上流は、ガス化ガスが負圧であるが、昇圧器の出口は、ガス化ガスが正圧となるため、容易に測定することができる。
【００４８】
制御部５７０は、制御部２７０と同様に、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働してガス化ガス生成システム５００全体を管理および制御する。
【００４９】
本実施形態において、制御部５７０は、流量測定部５１０によって測定された流量に基づいて導入口２１２における混合物の流速を導出し、導出した流速が予め定められた閾値Ｓ未満である場合に、ガス供給部２５０（流量調整弁２５４の開度）を制御して、サイクロン分離器２００内に調整ガスを供給させる。
【００５０】
流量測定部５１０および制御部５７０を備える構成により、サイクロン分離器２００に導入されるガス化ガスの流速を導出することができ、サイクロン分離器２００の分離効率を維持することが可能となる。
【００５１】
（第３の実施形態：ガス化ガス生成システム６００）
上述した第１、第２の実施形態において、制御部２７０、５７０は、ガス化ガスの流量に基づいてガス供給部２５０を制御している。本実施形態では、他のトリガに基づいてガス供給部２５０を制御する構成について説明する。
【００５２】
図５は、第３の実施形態にかかるガス化ガス生成システム６００を説明するための図である。図５中、気体、固体といった物質の流れを実線の矢印で示し、信号の流れを破線の矢印で示す。
【００５３】
図５に示すように、ガス化ガス生成システム５００は、燃焼炉１１０と、媒体分離器１２０と、熱交換器１２２と、灰集塵機１２４と、入口ループシール１３０と、ガス化炉１４０と、風箱１４２と、導入管１４４と、出口ループシール１５０と、サイクロン分離器２００と、ガス供給部２５０と、ガス化ガス精製装置３００と、濃度検出部６１０と、制御部６７０とを含んで構成される。なお、上述した第１の実施形態におけるガス化ガス生成システム１００と実質的に等しい構成要素については、同一の符号を付して重複説明を省略し、ここでは、構成の異なる濃度検出部６１０と、制御部６７０について詳述する。
【００５４】
濃度検出部６１０は、サイクロン分離器２００から送出された飛散粒子の濃度を検出する。
【００５５】
制御部６７０は、制御部２７０と同様に、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働してガス化ガス生成システム６００全体を管理および制御する。
【００５６】
本実施形態において、制御部６７０は、濃度検出部６１０によって検出された濃度が予め定められた閾値以上である場合に、ガス供給部２５０（流量調整弁２５４の開度）を制御して、サイクロン分離器２００内に調整ガスを供給させる。
【００５７】
濃度検出部６１０および制御部６７０を備える構成により、サイクロン分離器２００から送出される飛散粒子の濃度に基づいてガス供給部２５０を制御することができ、ガス化炉１４０の運転状況に拘わらず、ガス化ガス精製装置３００へ送出される飛散粒子の量を維持することができる。
【００５８】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５９】
例えば、上記実施形態において、ガス供給部２５０が、サイクロン分離器２００の導入口２１２にガスを供給する構成について説明したが、媒体分離器１２０の導入口に調整ガスを供給してもよい。
【００６０】
また、上記実施形態において、循環流動層方式のガス化炉１４０を例に挙げて説明したが、ガス化原料をガス化するガス化炉であれば、単なる流動層方式のガス化炉や、流動媒体が自重で鉛直下方向に流下することで移動層を形成する移動層方式のガス化炉であってもよい。
【産業上の利用可能性】
【００６１】
本発明は、ガス化原料からガス化ガスを生成し、サイクロン分離器によってガス化ガスから飛散粒子を分離するガス化ガス生成システム、および、サイクロン分離器の運転方法に利用することができる。
【符号の説明】
【００６２】
１００、５００、６００  ガス化ガス生成システム
１４０  ガス化炉
２００  サイクロン分離器
２１２  導入口
２１６  排気口
２５０  ガス供給部
２７０、５７０、６７０  制御部
５１０  流量測定部
６１０  濃度検出部
【図１】
2015017220.tif 000003
【図２】
2015017220.tif 000004
【図３】
2015017220.tif 000005
【図４】
2015017220.tif 000006
【図５】
2015017220.tif 000007